(57)【要約】      （修正有）【課題】扉錠の取付け部から屋内に漏水するのを防止することができる防水扉の扉錠装置を提供する。【解決手段】シリンダ錠１０の内筒１２の回転を扉錠前５０のシリンダカム５３に伝達するトルク伝達ユニット２０を、スリーブ２１と、内筒１２の回転をシリンダカム５３に伝達するトルク伝達軸２２と、シリンダ取付孔８の屋内側端部内に挿入され、その挿入方向の後行側に防水扉の屋内面に対向する外向きフランジ４１が設けられた筒状の止水キャップ３８とで構成する。スリーブ２１とトルク伝達軸２２の嵌合面間および止水キャップ３８とスリーブ２１の嵌合面間のそれぞれをＯリング３６、４０の組込みによってシールする。止水キャップ３８の外向きフランジ４１を防水扉３にねじ止めし、その外向きフランジ４１と防水扉３の対向面間をパッキン４２の組込みによってシールする。【選択図】図４
2014190133.tif 000002
【特許請求の範囲】
【請求項１】
外筒内に内筒が組み込まれ、その内筒に形成されたキー孔に対する操作キーの差し込みにより解錠とされて内筒の回転を自由とするシリンダ錠と、出入口を開閉する金属製防水扉の屋内面に取付けられる面付け扉錠前とを有し、前記面付け扉錠前が、錠ケースと、その錠ケース内に前記内筒の回転により連動して回転するシリンダカムと、そのシリンダカムの回転に連動して進退し、前進時に錠ケースのフロントプレートに形成されたボルト挿入孔から突出して防水扉を施錠するデッドボルトとを具えてなる防水扉における扉錠装置において、
前記防水扉の屋内外に貫通し、屋外側の端部に前記シリンダ錠が組み込まれたシリンダ取付孔の屋内側の端部内に、前記内筒の回転を前記シリンダカムに伝達するトルク伝達ユニットを組込み、そのトルク伝達ユニットが、前記外筒に一端が連結され、他端部が前記錠ケースの側板に形成されたスリーブ挿入孔に挿入されたスリーブと、そのスリーブ内に回転自在に組み込まれて前記内筒の回転を前記シリンダカムに伝達するトルク伝達軸と、前記スリーブの屋内側の他端部外周に嵌合されて前記シリンダ取付孔の屋内側の端部内に挿入され、その挿入方向の後行側に防水扉の屋内面に対向する外向きフランジが設けられた筒状の止水キャップとを有してなり、前記スリーブとトルク伝達軸の嵌合面間および前記止水キャップとスリーブの嵌合面間のそれぞれをＯリングの組込みによってシールし、前記止水キャップの外向きフランジと防水扉の対向面間をシール部材の組込みによってシールしたことを特徴とする防水扉における扉錠装置。
【請求項２】
前記シリンダ錠の屋外側の端部外周に円環状の化粧カバーを嵌合し、その嵌合部間にＯリングを組み込んで嵌合部間を密閉し、その化粧カバーと防水扉の対向部間に止水テープを貼着して対向部間を密閉した請求項１に記載の防水扉における扉錠装置。
【発明の詳細な説明】
【技術分野】
【０００１】
この発明は、建屋の出入口を開閉する防水扉の扉錠装置に関する。
【背景技術】
【０００２】
地震による津波や洪水などによって建屋の出入口から屋内に水が浸入するのを防止するため、その出入口を金属製の防水扉で開閉するようにした防水扉装置が提案されている。例えば、特許文献１においては、扉枠の縦枠に蝶番装置によって防水扉の一側部を支持して扉枠の内側の出入口を開閉自在とし、その防水扉を閉鎖する状態において、引寄せハンドル装置により防水扉を扉枠の内周に形成された扉受部に引き寄せ、その扉受部に設けられたシール嵌合溝内のシール部材を防水扉に設けられたエッジ部材により圧縮変形させて密着させ、扉枠と防水扉の対向部間からの水の浸入を防止するようにした防水扉装置を提案している。
【先行技術文献】
【特許文献】
【０００３】
【特許文献１】特開２００８−３１７１０号公報
【発明の概要】
【発明が解決しようとする課題】
【０００４】
ところで、上記特許文献１に記載された防水扉装置においては、扉枠と防水扉の対向部間の水密性を良好に保持することができるが、防水扉に取付けられる扉錠の取付け部においての水密性については何も言及されておらず、防水扉の溶接部に不完全な部分があり、その不完全な部分から防水扉内に水が浸入した際、その水が扉錠の取付け部から屋内に漏水する可能性がある。
【０００５】
この発明の課題は、防水扉内に浸入した水が扉錠の取付け部から屋内に漏水するのを防止することができるようにした防水扉の扉錠装置を提供することである。
【課題を解決するための手段】
【０００６】
上記の課題を解決するために、この発明においては、外筒内に内筒が組み込まれ、その内筒に形成されたキー孔に対する操作キーの差し込みにより解錠とされて内筒の回転を自由とするシリンダ錠と、出入口を開閉する金属製防水扉の屋内面に取付けられる面付け扉錠前とを有し、前記面付け扉錠前が、錠ケースと、その錠ケース内に前記内筒の回転により連動して回転するシリンダカムと、そのシリンダカムの回転に連動して進退し、前進時に錠ケースのフロントプレートに形成されたボルト挿入孔から突出して防水扉を施錠するデッドボルトとを具えてなる防水扉における扉錠装置において、前記防水扉の屋内外に貫通し、屋外側の端部に前記シリンダ錠が組み込まれたシリンダ取付孔の屋内側の端部内に、前記内筒の回転を前記シリンダカムに伝達するトルク伝達ユニットを組込み、そのトルク伝達ユニットが、前記外筒に一端が連結され、他端部が前記錠ケースの側板に形成されたスリーブ挿入孔に挿入されたスリーブと、そのスリーブ内に回転自在に組み込まれて前記内筒の回転を前記シリンダカムに伝達するトルク伝達軸と、前記スリーブの屋内側の他端部外周に嵌合されて前記シリンダ取付孔の屋内側の端部内に挿入され、その挿入方向の後行側に防水扉の屋内面に対向する外向きフランジが設けられた筒状の止水キャップとを有してなり、前記スリーブとトルク伝達軸の嵌合面間および前記止水キャップとスリーブの嵌合面間のそれぞれをＯリングの組込みによってシールし、前記止水キャップの外向きフランジと防水扉の対向面間をシール部材の組込みによってシールした構成を採用したのである。
【０００７】
上記のように、スリーブとトルク伝達軸の嵌合面間および止水キャップとスリーブの嵌合面間のそれぞれにＯリングを組込むことによってスリーブとトルク伝達軸の嵌合面間や止水キャップとスリーブの嵌合面間の水密性を保持することができる。また、止水キャップの外向きフランジと防水扉の屋内面間にシール部材を組み込むことによってその止水キャップの外向きフランジと防水扉の屋内面間の水密性を保持することができる。その結果、防水扉内に水が浸入したとしても、その浸入した水が扉錠の取付け部から屋内に漏水するのを防止することができる。
【０００８】
ここで、止水キャップの外向きフランジと防水扉の対向面間に組み込まれるシール部材は、外向きフランジと同形状とされたパッキンであってもよく、あるいは、止水テープであってもよい。
【０００９】
この発明に係る防水扉における扉錠装置において、シリンダ錠の屋外側の一端部外周に円環状の化粧カバーを嵌合し、その嵌合部間にＯリングを組み込んで嵌合部間をシールし、その化粧カバーと防水扉の対向部間に止水テープを貼着して対向部間をシールすることにより、シリンダ錠とシリンダ取付孔の嵌合面間から防水扉の内部に雨水が浸入するのを防止することができる。
【発明の効果】
【００１０】
この発明においては、上記のように、スリーブとトルク伝達軸の嵌合面間および止水キャップとスリーブの嵌合面間のそれぞれにＯリングを組込み、かつ、止水キャップの外向きフランジと防水扉の屋内面間にシール部材を組み込んだことにより、防水扉内に浸入した水が扉錠の取付け部から内部に漏水するのを防止することができる。
【図面の簡単な説明】
【００１１】
【図１】この発明に係る防水扉における扉錠装置の実施の形態を示す正面図
【図２】図１の平面図
【図３】図１のIII−III線に沿った断面図
【図４】図１の一部を拡大して示す一部切欠断面図
【図５】図４の止水キャップ部を拡大して示す断面図
【図６】図４に示すトルク伝達ユニットを構成する各種部品の分解斜視図
【図７】図１に示す面付け扉錠前およびその面付け扉錠前を防水扉に取付ける支持枠およびカバーのそれぞれを示す分解斜視図
【発明を実施するための形態】
【００１２】
以下、この発明の実施の形態を図面に基づいて説明する。図１および図２に示すように、扉枠１の内側は出入口２とされ、その出入口２は防水扉３によって開閉される。
【００１３】
扉枠１の内周には、防水扉３の屋内面側の外周部を受ける扉受部４が設けられている。扉受部４の防水扉３に対する対向面にはシール溝５が形成され、そのシール溝５内にシール部材６が組み込まれている。
【００１４】
防水扉３は、出入口２を閉鎖する状態で図示省略した引寄せ装置により扉受部４に向けて引き寄せられる。その引寄せによって防水扉３の屋内側面の外周部に設けられたエッジ部材７がシール部材６を圧縮変形させ、上記シール部材６に対するエッジ部材７の密着によって防水扉３と扉枠１の対向部間の水密性が保持される。
【００１５】
防水扉３は、外周の全体が鋼板等の金属板によって形成されており、内部には補強桟や充填材が設けられているが図では省略している。この防水扉３の戸先側の側部には、屋内外面に貫通するシリンダ取付孔８が形成されている。
【００１６】
防水扉３は、戸先側の側部に設けられた扉錠装置Ａによって施解錠される。扉錠装置Ａは、防水扉３におけるシリンダ取付孔８の屋外側端部内に組み込まれたシリンダ錠１０と、シリンダ取付孔８内の屋内側端部内に組み込まれたトルク伝達ユニット２０と、防水扉３の屋内側面に取付けられる面付け扉錠前５０とからなる。
【００１７】
図４および図６に示すように、シリンダ錠１０は、外筒１１内に内筒１２が組み込まれ、その内筒１２に形成されたキー孔１３内に図示省略された操作キーを差し込むことによって解錠されて、操作キーの回転操作により内筒１２が回転される従来から一般的に知られているピンシリンダ錠からなっており、上記内筒１２の屋内側の端部には、その内筒１２と一体に回転するトルク伝達片１４が取付けられている。
【００１８】
シリンダ錠１０は、外筒１１の端部がシリンダ取付孔８の屋外側の開口から屋外に突出する組込みとされ、その外筒１１の屋外側端部の外周に円環状の化粧カバー１５が嵌合されている。
【００１９】
化粧カバー１５の内径面にはリング溝１６が形成され、そのリング溝１６内に組み込まれたＯリング１７は外筒１１の端部外径面に弾性接触して嵌合面間をシールしている。
【００２０】
また、化粧カバー１５と防水扉３の対向面間は止水テープ１８の貼着によりシールされて雨水の浸入を防止している。
【００２１】
図４および図６に示すように、トルク伝達ユニット２０は、シリンダ取付孔８内に組み込まれたスリーブ２１と、そのスリーブ２１の内側に組み込まれたトルク伝達軸２２とを有している。
【００２２】
スリーブ２１の屋外側の端面には一対の弧状壁２３が対向位置に形成され、その一対の弧状壁２３の対向面間に形成された切欠部２４に外筒１１の屋内側端部の外周に設けられた突出部１９が嵌合し、その嵌合部を横切るようにして形成されたピン孔２５にピン２６が圧入されてスリーブ２１が外筒１１に連結されている。
【００２３】
トルク伝達軸２２の屋外側端部の外周には環状溝２７が形成されている。一方、スリーブ２１には上記環状溝２７に対向してねじ孔２８が設けられ、そのねじ孔２８にねじ込まれたビス２９の先端部が上記環状溝２７に嵌合し、その嵌合によってトルク伝達軸２２は軸方向に位置決めされ、かつ、回転自在に支持されている。
【００２４】
トルク伝達軸２２の屋外側の端面には径方向溝３０が形成され、その径方向溝３０内に内筒１２の屋内側の端部に設けられたトルク伝達片１４が嵌合している。このため、内筒１２が回転するとトルク伝達軸２２も共に回転するようになっている。
【００２５】
また、トルク伝達軸２２の屋内側の端面にも径方向溝３１が形成され、その径方向溝３１に出力側トルク伝達片３２の幅広部が嵌合され、トルク伝達軸２２の屋内側端面にねじ止めした蓋板３３によって出力側トルク伝達片３２が抜止めされている。蓋板３３には長孔３４が形成され、その長孔３４に出力側トルク伝達片３２の細幅部が挿通されている。
【００２６】
トルク伝達軸２２の軸方向の中央部には環状のシール溝３５が形成され、そのシール溝３５内にＯリング３６が組み込まれている。Ｏリング３６はスリーブ２１の内径面に弾性接触してスリーブ２１とトルク伝達軸２２の嵌合面間をシールしている。
【００２７】
図４および図５に示すように、スリーブ２１の屋内側の端部外周には大径円筒面３７が形成され、その大径円筒面３７に円筒状の止水キャップ３８が嵌合されている。
【００２８】
止水キャップ３８の内径面にはシール溝３９が形成され、そのシール溝３９に組み込まれたＯリング４０はスリーブ２１の大径円筒面３７に弾性接触して、大径円筒面３７と止水キャップ３８の嵌合面間をシールしている。
【００２９】
止水キャップ３８の屋内側の端部はシリンダ取付孔８の屋内側端部の開口から外部に突出し、その突出端に角形の外向きフランジ４１が形成されている。外向きフランジ４１は防水扉３の屋内側面にねじ止めされ、その外向きフランジ４１と防水扉３の対向面間はシール部材としてのパッキン４２の組込みによってシールされている。
【００３０】
実施の形態では、シール部材としてパッキンを示したが、止水テープであってもよい。止水テープの採用においては、その止水テープの貼付けによって外向きフランジ４１を防水扉３に固定することができるため、ねじ止めを不要とすることができる。
【００３１】
図４および図７に示すように、面付け扉錠前５０は、角形の錠ケース５１を有し、その錠ケース５１の前側にフロントプレート５２が設けられている。錠ケース５１は、防水扉３にねじ止めされる支持枠７０を介して防水扉３に面付けされる。また、錠ケース５１は、上記支持枠７０およびフロントプレート５２にねじ止めされるカバー８０によって全体が覆われる。
【００３２】
防水扉３に対する錠ケース５１の面付け状態において、その錠ケース５１の防水扉３と対向する一方の側板５１ａにはスリーブ挿入孔５１ｂが形成され、そのスリーブ挿入孔５１ｂ内にスリーブ２１の屋内側端部が挿入されて抜止めされている。
【００３３】
ここで、面付け扉錠前５０は、錠ケース５１内に組み込まれたシリンダカム５３の回転によりデッドボルト５４をフロントプレート５２に形成されたボルト挿入孔５５から出没させるようにした従来から周知のものである。このため、詳細を省略している。
【００３４】
シリンダカム５３は、対向一対の円板５６ａ、５６ｂを有し、一方の円板５６ａには円形孔５７と、その円形孔５７の内周対向位置に一対の扇形孔５８が形成され、上記扇形孔５８内にトルク伝達軸２２の軸端面に設けられた前述の出力側トルク伝達片３２が挿入されている。
【００３５】
出力側トルク伝達片３２と扇形孔５８の対向縁間にほぼ９０°の回転方向遊びが設けられ、シリンダ錠１０の内筒１２が操作キーの操作で一方向に９０°回転駆動されてトルク伝達軸２２が回転した際、出力側トルク伝達片３２が扇形孔５８の一側縁に係合してトルク伝達軸２２の回転をシリンダカム５３に伝達し、シリンダカム５３を９０°回転させるようになっている。
【００３６】
また、トルク伝達軸２２の９０°の回転後、そのトルク伝達軸２２を上記と逆の方向に９０°回転させると、出力側トルク伝達片３２が扇形孔５８内で遊び回転して待機位置に戻され、トルク伝達軸２２からシリンダカム５３への回転伝達が遮断されてトルク伝達軸２２が空転するようになっている。
【００３７】
シリンダカム５３の他方の円板５６ｂには角孔５９が設けられ、その角孔５９内に支持筒６０によって回転自在に支持されたサムターン軸６１の角軸部６１ａが嵌合されており、上記サムターン軸６１の端部に設けられた摘み６１ｂの操作によってサムターン軸６１を回転させると、シリンダカム５３が一体に回転するようになっている。
【００３８】
シリンダカム５３の回転運動は図示省略した運動変換機構によってデッドボルト５４の進退動に変換される。デッドボルト５４の前進時、そのデッドボルト５４の先端部がフロントプレート５２に形成されたボルト挿入孔５５から外方に突出して防水扉３を施錠する。図示の場合は、図２に示すように、前進動するデッドボルト５４の先端部を扉枠１の縦枠に取付けられた受金具９のストライク孔９ａに係合させて防水扉３を施錠状態としている。
【００３９】
ここで、支持枠７０は、防水扉３にパッキン７９を挟み込んでねじ止めされるベースプレート７１を有し、そのベースプレート７１における一側縁の上下部に一対の取付片７２が形成され、その一対の取付片７２に錠ケース５１におけるフロントプレート５２の上下端部が衝合されてねじ止めされる。
【００４０】
ベースプレート７１には、止水キャップ３８の外向きフランジ４１が嵌合可能な角孔７３が形成されている。また、ベースプレート７１の上下端縁には錠ケース５１の上面および下面を覆う上側板７４および下側板７５が設けられ、さらに、ベースプレート７１の他側縁に錠ケース５１の背面を覆う背面板７６が設けられている。また、背面板７６の側縁上部にベースプレート７１と対向する支持片７７が設けられ、その支持片７７に前述の支持筒６０が挿入される挿入孔７８が形成されている。
【００４１】
カバー８０は、錠ケース５１のフロントプレート５２にねじ止めされて、そのフロントプレート５２を覆う前面板８１の一側縁に錠ケース５１の外側面を覆う側面板８２を設けた平面Ｌ字状をなし、上記前面板８１にはボルト挿入孔５５と対向する位置に角孔８３が設けられ、その角孔８３に対してデッドボルト５４が出没自在とされている。
【００４２】
また、側面板８２には支持枠７０の支持片７７と対向する位置に切欠部８４が設けられ、その切欠部８４内に対して支持筒６０が挿入可能とされている。また、支持筒６０は、錠ケース５１の他方の側板を貫通し、端部が錠ケース５１内に臨む状態で抜止めされている。
【００４３】
実施の形態で示す防水扉装置は上記の構造からなり、防水扉３を閉鎖し、図示省略した引寄せ装置を操作して防水扉３を図２に示す扉受部４に向けて引き寄せると、エッジ部材７がシール部材６を押圧し、シール部材６に対するエッジ部材７の密着によって防水扉３と扉受部４の対向部間の水密性が保持される。
【００４４】
上記のような水密性の保持状態において、図６に示すシリンダ錠１０の内筒１２に形成されたキー孔１３に操作キーを挿し込むと、シリンダ錠１０が解錠される。
【００４５】
シリンダ錠１０の解錠状態で操作キーを回転して内筒１２を回転させると、その回転は図４に示すトルク伝達ユニット２０のトルク伝達軸２２に伝達されて、トルク伝達軸２２が内筒１２と同方向に回転する。
【００４６】
また、トルク伝達軸２２の回転は面付け扉錠前５０のシリンダカム５３に伝達されて、シリンダカム５３が回転し、そのシリンダカム５３に連動してデッドボルト５４が前進し、そのデッドボルト５４の先端部がカバー８０に形成された角孔８３から突出して、図２に示すように、扉枠１の縦枠に取付けられた受金具９のストライク孔９ａに係合する。その係合によって防水扉３が施錠状態とされる。
【００４７】
ここで、防水扉装置の扉錠装置Ａにおいては、図４に示すように防水扉３に形成されたシリンダ取付孔８内にシリンダ錠１０を組込み、そのシリンダ錠１０と面付け扉錠前５０との間にトルク伝達ユニット２０を組込み、そのトルク伝達ユニット２０をシリンダ取付孔８内に挿入されるスリーブ２１と、そのスリーブ２１内に挿入されてシリンダ錠１０の内筒１２の回転をシリンダカム５３に伝達するトルク伝達軸２２とで形成し、そのスリーブ２１とトルク伝達軸２２の嵌合面間にＯリング３５を組込むようにしているため、スリーブ２１とトルク伝達軸２２の嵌合面間の水密性を保持することができる。
【００４８】
また、スリーブ２１の屋内側の端部外周に形成された大径円筒面３７に止水キャップ３８を嵌合し、その止水キャップ３８と大径円筒面３７の嵌合面間にＯリング４０を組込むようにしているため、止水キャップ３８と大径円筒面３７の嵌合面間の水密性を保持することができる。
【００４９】
さらに、止水キャップ３８の外向きフランジ４１と防水扉３の屋内面間にシール部材としてのパッキン４２を組み込むようにしているため、外向きフランジ４１と防水扉３の対向面間の水密性を保持することができる。
【００５０】
このように、スリーブ２１とトルク伝達軸２２の嵌合面間、止水キャップ３８と大径円筒面３７の嵌合面間および外向きフランジ４１と防水扉３の対向面間のそれぞれの水密性を保持することができるため、防水扉３内に水が浸入したとしても、その浸入した水が扉錠の取付け部から屋内に漏水するようなことはない。
【００５１】
図４に示すように、シリンダ錠１０の屋外側の端部外周に円環状の化粧カバー１５を嵌合し、その嵌合部間にＯリング１７を組み込んで嵌合部間をシールし、その化粧カバー１５と防水扉３の対向部間に止水テープ１８を貼着して対向部間をシールすることにより、シリンダ錠１０とシリンダ取付孔の嵌合面間から防水扉の内部に雨水が浸入するのを防止することができる。
【符号の説明】
【００５２】
２    出入口
３    防水扉
８    シリンダ取付孔
１０  シリンダ錠
１１  外筒
１２  内筒
１３  キー孔
１５  化粧カバー
１７  Ｏリング
１８  止水テープ
２０  トルク伝達ユニット
２１  スリーブ
２２  トルク伝達軸
３６  Ｏリング
３８  止水キャップ
４０  Ｏリング
４１  外向きフランジ
４２  パッキン(シール部材)
５０  面付け扉錠前
５１  錠ケース
５１ａ  側板
５１ｂ  スリーブ挿入孔
５２  フロントプレート
５３  シリンダカム
５４  デッドボルト
５５  ボルト挿入孔
【図１】
2014190133.tif 000003
【図２】
2014190133.tif 000004
【図３】
2014190133.tif 000005
【図４】
2014190133.tif 000006
【図５】
2014190133.tif 000007
【図６】
2014190133.tif 000008
【図７】
2014190133.tif 000009